(57)【要約】【課題】  開示する補整下着は、着用者の腰部付近の引き締め効果を高めた。【解決手段】  開示する補整下着の一形態は、着用者の腰部からアンダーバスト部近傍までを被覆するウエスト部と、該ウエスト部に連なり、着用者の腹部、臀部及び股部を被覆するパンツ部と、を備える補整下着であって、前記ウエスト部において、着用時に前記腰部の横方向端部に配置される第１生地と該第１生地よりも中央側に隣接配置される第２生地とで着圧の大きさが異なり、前記第２生地が、左右対称のＸ字形状に配置されることを特徴とする。【選択図】図３
2019119964.tif 000002
【特許請求の範囲】
【請求項１】
着用者の腰部からアンダーバスト部近傍までを被覆するウエスト部と、該ウエスト部に連なり、着用者の腹部、臀部及び股部を被覆するパンツ部と、を備える補整下着であって、
前記ウエスト部において、着用時に前記腰部の横方向端部に配置される第１生地と該第１生地よりも中央側に隣接配置される第２生地とで着圧の大きさが異なり、前記第２生地が、左右対称のＸ字形状に配置されることを特徴とする補整下着。
【請求項２】
前記ウエスト部が、前面及び背面それぞれにおいて左右対称に配置され、上下方向に長く棒形状を成す棒状部材を有し、
前記棒状部材が、横方向の力が加わって撓んだとき、前記棒形状へ戻ろうとする復元力を備えることを特徴とする請求項１に記載の補整下着。
【請求項３】
前記棒状部材が、前面に２つ、背面に２つそれぞれ配置されると共に、左右それぞれの前記棒状部材が、前後対称に配置されることを特徴とする請求項２に記載の補整下着。
【請求項４】
前記パンツ部の前面、かつ、前記着用者の下腹部中央付近を覆う位置において、下に凸の半円状に、周囲の生地に比し着圧の大きい生地が配置されることを特徴とする請求項１乃至３の何れか一に記載の補整下着。
【請求項５】
前記パンツ部の背面、かつ、前記着用者の左右の臀部それぞれを覆う位置において、下に凸の半円状に、周囲の生地に比し着圧の大きい生地が左右対称に配置されることを特徴とする請求項１乃至４の何れか一に記載の補整下着。
【発明の詳細な説明】
【技術分野】
【０００１】
補整下着の技術に関する。
【背景技術】
【０００２】
補整下着とは、ボディラインを整えることにより、その上に着る衣類のシルエットをより美しくするための下着の総称である。
【０００３】
補整下着に関しては、従来、様々な研究・開発が行われており、例えば、特許文献１では、「ウエストおよびウエスト上部をシェイプアップできると同時に、背筋がピンと伸びて姿勢がよくなり、身体にピッタリとフィットしてズレ落ちることなく、アンダーバストの近傍から大腿部までのボディラインを美しく見せることができ、かつ、鼠径部を圧迫せず長時間着用しても着心地が良い」とする補整下着が提案されている。
【先行技術文献】
【特許文献】
【０００４】
【特許文献１】特開２００２−２３５２０７号公報
【発明の概要】
【発明が解決しようとする課題】
【０００５】
しかしながら、上記の従来技術においては、着用者の腰部付近の引き締め効果が十分でないという問題点がある。
そこで本発明では、上記問題点に鑑み、着用者の腰部付近の引き締め効果を高めた補整下着を提供することを目的とする。
【課題を解決するための手段】
【０００６】
開示する補整下着の一形態は、着用者の腰部からアンダーバスト部近傍までを被覆するウエスト部と、該ウエスト部に連なり、着用者の腹部、臀部及び股部を被覆するパンツ部と、を備える補整下着であって、前記ウエスト部において、着用時に前記腰部の横方向端部に配置される第１生地と該第１生地よりも中央側に隣接配置される第２生地とで着圧の大きさが異なり、前記第２生地が、左右対称のＸ字形状に配置されることを特徴とする。
【発明の効果】
【０００７】
開示する補整下着は、着用者の腰部付近の引き締め効果を高めた。
【図面の簡単な説明】
【０００８】
【図１】本実施の形態に係る補整下着の正面図である。
【図２】本実施の形態に係る補整下着の背面図である。
【図３】本実施の形態に係る補整下着の使用状態図である。
【発明を実施するための形態】
【０００９】
図面を参照しながら、本発明を実施するための形態について説明する。
（本実施の形態に係る補整下着の構造）
【００１０】
図１乃至３を用いて、本実施の形態に係る補整下着１の構造について説明する。図１は、補整下着１の正面図であり、図２は、補整下着１の背面図である。また、図３は、着用者２０が補整下着１を着用した状態を説明するための図である。
【００１１】
図１及び２で示すように、補整下着１は、ウエスト部２、パンツ部１０を有する。図３で示すように、補整下着１は、着用者２０の胸下から腹下まで生地で覆い、ボディラインを整えることによって、その上に着る衣類のシルエットをより美しくするための下着である。
【００１２】
ウエスト部２は、着用者２０の腰部２２からアンダーバスト部２４近傍までを被覆する部位である。ウエスト部２が腰部２２からアンダーバスト部２４近傍までを被覆することによって、着用者２０は、骨盤の広がり・反り・傾きが矯正され、骨盤が正常な位置まで戻されることによって、スリムな体型が形成される。ウエスト部２は、第１生地４、第２生地６、棒状部材８を有する。
【００１３】
図１及び２で示すように、ウエスト部２においては、着用時、腰部２２の横方向端部に配置される第１生地４と、第１生地４よりも中央側に隣接配置される第２生地６とで着圧の大きさが異なる。そして、第２生地６は、左右対称のＸ字形状に配置される。
また、ウエスト部２においては、第２生地６よりも中央側に、第２生地６と着圧の大きさが異なる生地が交互、かつ、左右対称のＶ字型に隣接配置される。
なお、図１及び２で示すように、ウエスト部２における着圧の大きさが異なる生地の配置は、補整下着１の前面と背面とで前後対称に配置される。
【００１４】
ウエスト部２において、上記のように着圧の大きさが異なる生地が配置されることによって、縦・横両方向から着用者２０の腰部２２は締め付けられ、それによって着用者２０のウエストは引き締められる。
【００１５】
棒状部材８は、ウエスト部２の前面及び背面それぞれにおいて中央から左右対称の位置に配置され、上下方向に長い棒形状の部材である。棒状部材８は、横方向の力が加わって撓んだとき、棒形状へ戻ろうとする復元力を備える、所謂バネ部材である。
棒状部材８は、前面に２つ、背面に２つそれぞれ配置されると共に、左右それぞれの棒状部材８は、前後対称に配置される。
【００１６】
上記のように、着用者２０の腰部２２周囲に４本の棒状部材（バネ）８が配置されることによって、着用者２０の猫背姿勢を正し、筋肉のこわばり、血流の低下、冷え、便秘、肥満・むくみ等を解消させる。
【００１７】
パンツ部１０は、ウエスト部２に連なり、着用者２０の腹部２６、臀部２８及び股部３０を被覆する部位である。パンツ部１０は、第１半円状部１２、第２半円状部１４を有する。
【００１８】
図１で示すように、第１半円状部１２は、パンツ部１０の前面、かつ、着用者２０の下腹部中央付近を覆う位置において、下に凸の半円状に、周囲の生地に比し着圧の大きい生地が配置される部位である。第１半円状部１２によって、着用者２０の下腹が引き締められる。
【００１９】
図２で示すように、第２半円状部１４は、パンツ部１０の背面、かつ、着用者２０の左右の臀部２８それぞれを覆う位置において、下に凸の半円状に、周囲の生地に比し着圧の大きい生地が左右対称に配置される部位である。第２半円状部１４によって、着用者２０の臀部２８の肉が持ち上げられると共に、臀部２８上部の肉を横方向に逃がし、きれいな形のヒップラインが形成される。また、第２半円状部１４によって、着用者２０のお尻と太腿との差（境界）をくっきりさせることができる。
上記構成を備えることによって、補整下着１は、着用者２０の腰部２２付近の引き締め効果を高めることができる。
（本実施の形態に係る補整下着の使用方法）
【００２０】
図１乃至３を用いて、補整下着１の使用方法について説明する。着用者２０は、補整下着１のパンツ部１０に足を通し、パンツ部１０が腹部２６、臀部２８及び股部３０を覆うように着用する。
【００２１】
そのとき、着用者２０は、第１半円状部１２が着用者２０の下腹部の肉を持ち上げるように着用すると共に、第２半円状部１４が着用者２０の臀部２８の肉を持ち上げるように着用する。
【００２２】
次に着用者２０は、ウエスト部２をアンダーバスト部２４まで引き上げるようにして、補整下着１を着用する。着用者２０は、補整下着１の着用後、補整下着１の上に着る衣類を着用する。
上記のようにして、着用者２０は、補整下着１の着用によって、腰部２２付近の引き締め効果を高めることができる。
【００２３】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２４】
１    補整下着
２    ウエスト部
４    第１生地
６    第２生地
８    棒状部材
１０  パンツ部
１２  第１半円状部
１４  第２半円状部
２０  着用者
２２  着用者の腰部
２４  着用者のアンダーバスト部
２６  着用者の腹部
２８  着用者の臀部
３０  着用者の股部
【図１】
2019119964.tif 000003
【図２】
2019119964.tif 000004
【図３】
2019119964.tif 000005